(57)【要約】【課題】電気接続箱に対する電線の接続構造を簡易化させた電気接続箱、及び、そのような電気接続箱を用いたワイヤハーネスを提供すること。【解決手段】ワイヤハーネス１は、電気接続箱１０と、電気接続箱１０と接続先回路とを繋ぐ電線部２０と、を備える。電気接続箱１０は、回路部品を配置可能な複数の接点部を有する第１ブロック３０と、第１ブロックに向かい合うように配置される第２ブロック４０であって、複数の接点部の一部又は全部において回路部品と電気的に接続されるバスバー６０を有する第２ブロック４０と、を備える。バスバー６０は、複数の接点部と一又は複数の接続先回路とを繋ぐ分岐構造、及び、一の接点部と他の接点部とを繋ぐ周回構造、の少なくとも一方を有する。【選択図】図１
2018207659.tif 000002
【特許請求の範囲】
【請求項１】
回路部品を配置可能な複数の接点部を有する第１ブロックと、
前記第１ブロックに向かい合うように配置される第２ブロックであって、前記複数の接点部の一部又は全部において前記回路部品と電気的に接続されるバスバーを有する第２ブロックと、
を備えた電気接続箱であって、
前記バスバーは、
複数の前記接点部と一又は複数の接続先回路とを繋ぐ分岐構造、及び、一の前記接点部と他の前記接点部とを繋ぐ周回構造、の少なくとも一方を有する、
電気接続箱。
【請求項２】
請求項１に記載の電気接続箱において、
前記第２ブロックは、
前記バスバーを支持するハウジングを有し、
前記ハウジングは、
前記複数の接点部のうちの前記バスバーと前記回路部品とが接続されない前記接点部に対応する箇所に、該ハウジングを貫通するように開口した貫通孔を有している、
電気接続箱。
【請求項３】
請求項１又は請求項２に記載の電気接続箱において、
前記回路部品は、
ヒューズ、リレー及びヒュージブルリンクのうちの少なくとも一つである、
電気接続箱。
【請求項４】
電気接続箱と、前記電気接続箱と接続先回路とを繋ぐ電線部と、を備えたワイヤハーネスであって、
前記電気接続箱は、
回路部品を配置可能な複数の接点部を有する第１ブロックと、
前記第１ブロックに向かい合うように配置される第２ブロックであって、前記複数の接点部の一部又は全部において前記回路部品と電気的に接続されるバスバーを有する第２ブロックと、を備え、
前記バスバーは、
複数の前記接点部と一又は複数の前記接続先回路とを繋ぐ分岐構造、及び、一の前記接点部と他の前記接点部とを繋ぐ周回構造、の少なくとも一方を有し、
前記電線部は、
前記バスバーを介して前記接点部に間接的に繋がる電線を含む、
ワイヤハーネス。
【請求項５】
請求項４に記載のワイヤハーネスにおいて、
前記第２ブロックは、
前記バスバーを支持するハウジングを有し、
前記ハウジングは、
前記複数の接点部のうちの前記バスバーと前記回路部品とが接続されない前記接点部に対応する箇所に、該ハウジングを貫通するように開口した貫通孔を有し、
前記電線部は、
前記貫通孔を通じて前記接点部に直接的に繋がる電線を更に含む、
ワイヤハーネス。
【発明の詳細な説明】
【技術分野】
【０００１】
本発明は、電気接続箱、及び、電気接続箱と電線部とを備えたワイヤハーネス、に関する。
【背景技術】
【０００２】
従来から、多数の電線が集合するように接続される電気接続箱が提案されている。このような電気接続箱の一例として、車両用のリレーボックスが挙げられる。リレーボックスは、収納されたリレー等と車体の各所に配置されている接続先回路とを繋ぐべく、多数の電線を接続可能な構成を備えている。より具体的には、従来のリレーボックスの一つは、リレー等が収納されたケース本体をカバー（上面カバー、下面カバー及び側面カバー）によって覆い、カバーに設けられた開口部を通じて外部からケース本体に電線を接続させるようになっている（例えば、特許文献１を参照。）。
【先行技術文献】
【特許文献】
【０００３】
【特許文献１】特開２０１６−１７４５０４号公報
【発明の概要】
【発明が解決しようとする課題】
【０００４】
上述したような構造を有する電気接続箱（例えば、リレーボックス）に対して接続された多数の電線には、通常、同じ接続先回路から異なるリレー等に接続される電線（いわゆるダブリ電線）、及び、一のリレー等と他のリレー等とを繋ぐ電線（いわゆるＵターン電線）が含まれる。別の言い方をすると、電気接続箱に求められる性能・機能の向上に伴い、電気接続箱に対する電線の接続構造は、複雑化する傾向がある。
【０００５】
そして、このような複雑化に起因し、電気接続箱と電線と接続する作業が煩雑となる。更に、電気接続箱の周辺に多量の電線が密集すると、そのような多量の電線を取り回すために電気接続箱の格納スペースが大型化する場合もある。
【０００６】
本発明は、上述した事情に鑑みてなされたものであり、その目的は、電気接続箱に対する電線の接続構造を簡易化させた電気接続箱、及び、そのような電気接続箱を用いたワイヤハーネスを提供することにある。
【課題を解決するための手段】
【０００７】
前述した目的を達成するために、本発明に係る「電気接続箱」は、下記（１）〜（３）を特徴としている。
（１）
回路部品を配置可能な複数の接点部を有する第１ブロックと、
前記第１ブロックに向かい合うように配置される第２ブロックであって、前記複数の接点部の一部又は全部において前記回路部品と電気的に接続されるバスバーを有する第２ブロックと、
を備えた電気接続箱であって、
前記バスバーは、
複数の前記接点部と一又は複数の接続先回路とを繋ぐ分岐構造、及び、一の前記接点部と他の前記接点部とを繋ぐ周回構造、の少なくとも一方を有する、
電気接続箱であること。
（２）
上記（１）に記載の電気接続箱において、
前記第２ブロックは、
前記バスバーを支持するハウジングを有し、
前記ハウジングは、
前記複数の接点部のうちの前記バスバーと前記回路部品とが接続されない前記接点部に対応する箇所に、該ハウジングを貫通するように開口した貫通孔を有している、
電気接続箱であること。
（３）
（１）又は上記（２）に記載の電気接続箱において、
前記回路部品は、
ヒューズ、リレー及びヒュージブルリンクのうちの少なくとも一つである、
電気接続箱であること。
【０００８】
上記（１）の構成の電気接続箱によれば、回路部品（リレー等）を収納するための第１ブロックとは別に、第１ブロックと接続先回路との接続を補助するための第２ブロックが設けられている。より具体的には、第２ブロックが有するバスバーは、複数の接点部と一又は複数の接続先回路とを繋ぐ分岐構造、及び、一の接点部と他の接点部とを繋ぐ周回構造、の少なくとも一方を有している。このような構造を有するバスバーにより、接続先回路と第１ブロックとの接続が中継されるようになっている。
【０００９】
このような第２ブロックを設けることにより、多数の電線を一つ一つ第１ブロックに直接つなぐ場合に比べ、電気接続箱（第１ブロック）に対する電線の接続構造を簡易化できる。更に、電線の接続構造を簡易化できる分、電気接続箱の格納スペース（又は、電気接続箱そのものの大きさ）を小型化できる。
【００１０】
上記（２）の構成の電気接続箱によれば、ハウジングに設けられた貫通孔を通じ、外部から第１ブロックに電線を直接的に繋ぐことができる。よって、第２ブロックのバスバーを介する必要がない電線（例えば、電気接続箱のリレー等と接続先回路とを一対一に繋ぐだけの電線）を選択的に第１ブロックと直接繋ぐことにより、第２ブロックの構造を単純化できる。
【００１１】
上記（３）の構成の電気接続箱によれば、車両用の回路部品として一般に用いられるヒューズ、リレー及びヒュージブルリンクに対して、本発明の電気接続箱を適用できる。
【００１２】
前述した目的を達成するために、本発明に係る「ワイヤハーネス」は、下記（４）及び（５）を特徴としている。
（４）
電気接続箱と、前記電気接続箱と接続先回路とを繋ぐ電線部と、を備えたワイヤハーネスであって、
前記電気接続箱は、
回路部品を配置可能な複数の接点部を有する第１ブロックと、
前記第１ブロックに向かい合うように配置される第２ブロックであって、前記複数の接点部の一部又は全部において前記回路部品と電気的に接続されるバスバーを有する第２ブロックと、を備え、
前記バスバーは、
複数の前記接点部と一又は複数の前記接続先回路とを繋ぐ分岐構造、及び、一の前記接点部と他の前記接点部とを繋ぐ周回構造、の少なくとも一方を有し、
前記電線部は、
前記バスバーを介して前記接点部に間接的に繋がる電線を含む、
ワイヤハーネスであること。
（５）
上記（４）に記載のワイヤハーネスにおいて、
前記第２ブロックは、
前記バスバーを支持するハウジングを有し、
前記ハウジングは、
前記複数の接点部のうちの前記バスバーと前記回路部品とが接続されない前記接点部に対応する箇所に、該ハウジングを貫通するように開口した貫通孔を有し、
前記電線部は、
前記貫通孔を通じて前記接点部に直接的に繋がる電線を更に含む、
ワイヤハーネスであること。
【００１３】
上記（４）の構成のワイヤハーネスによれば、電気接続箱には、回路部品（リレー等）を収納するための第１ブロックとは別に、第１ブロックと接続先回路との接続を補助するための第２ブロックが設けられている。より具体的には、第２ブロックが有するバスバーは、複数の接点部と一又は複数の接続先回路とを繋ぐ分岐構造、及び、一の接点部と他の接点部とを繋ぐ周回構造、の少なくとも一方を有している。このような構造を有するバスバーにより、接続先回路と第１ブロックとの接続が中継されるようになっている。
【００１４】
このような第２ブロックを設けることより、多数の電線を一つ一つ第１ブロックに直接つなぐ場合に比べ、電気接続箱（第１ブロック）に対する電線の接続構造を簡易化できる。更に、電線の接続構造を簡易化できる分、電気接続箱の格納スペース（又は、電気接続箱そのものの大きさ）を小型化できる。したがって、本構成のワイヤハーネスによれば、電気接続箱に対する電線の接続構造を簡易化できる。
【００１５】
上記（５）の構成のワイヤハーネスによれば、ハウジングに設けられた貫通孔を通じ、外部から第１ブロックに電線を直接的に繋ぐことができる。よって、第２ブロックのバスバーを介する必要がない電線（例えば、電気接続箱のリレー等と接続先回路とを一対一に繋ぐだけの電線）を選択的に第１ブロックと直接繋ぐことにより、第２ブロックの構造を単純化できる。
【発明の効果】
【００１６】
本発明によれば、電気接続箱に対する電線の接続構造を簡易化させた電気接続箱、及び、そのような電気接続箱を用いたワイヤハーネスを提供できる。
【００１７】
以上、本発明について簡潔に説明した。更に、以下に説明される発明を実施するための形態（以下「実施形態」という。）を添付の図面を参照して通読することにより、本発明の詳細は更に明確化されるであろう。
【図面の簡単な説明】
【００１８】
【図１】図１は、本発明の実施形態に係る電気接続箱を用いたワイヤハーネスの分解斜視図である。
【図２】図２は、図１に示したバスバープレート及び電線を下側からみた分解斜視図である。
【図３】図３（ａ）は、バスバー単体の斜視図であり、図３（ｂ）は、バスバープレートの斜視図である。
【図４】図４は、バスバープレートにおけるバスバーの透視図であり、図４（ａ）は、その上面図であり、図４（ｂ）は、その側面図である。
【図５】図５は、本発明の実施形態の変形例に係るリレーボックス及び端子の斜視図であり、図５（ａ）は、端子挿入前の状態を示す図であり、図５（ｂ）は、端子挿入後の状態を示す図である。
【発明を実施するための形態】
【００１９】
＜実施形態＞
以下、図面を参照しながら、本発明の実施形態に係る電気接続箱１０を用いたワイヤハーネス１について説明する。電気接続箱１０を用いたワイヤハーネス１は、例えば、車両に搭載されて使用される。
【００２０】
図１に示すように、ワイヤハーネス１は、電気接続箱１０と、複数の接続先回路（図示省略）と電気接続箱１０とを繋ぐ電線部２０と、を備える。電気接続箱１０は、リレーブロック３０と、バスバープレート４０と、を備える。以下、説明の便宜上、図１に示すように、「前後方向」、「幅方向」、「上下方向」、「前」、「後」、「上」、及び「下」を定義する。「前後方向」、「幅方向」及び「上下方向」は、互いに直交する。
【００２１】
図１に示すように、リレーブロック３０は、樹脂製のハウジング３１を有する。ハウジング３１は、上壁３２と、幅方向に対向する一対の側壁３３と、前壁３４と、を有し、下面が開口する、直方体状の箱状の形状を有する。ハウジング３１には、前壁３４と前後方向に対向する後壁が設けられていてもよい。ハウジング３１の内部の所定位置には、リレー、ヒューズ、及び、ヒュージブルリンク（以下、「リレー等」と呼ぶ）のうちの少なくとも１種類以上を複数個収納できるようになっている。
【００２２】
各側壁３３には、前後方向の所定の２か所の位置に、係合用突条３５が設けられている。各係合用突条３５は、幅方向外側に突出し且つ上下方向に延びている。上壁３２には、ハウジング３１内に一体成形されて上下方向に延びる複数の端子収納室３６（図５も参照）に通じる複数の開口が形成されている。
【００２３】
各端子収納室３６の下端は、ハウジング３１の下面の開口を介して外部に露出している。よって、各端子収納室３６の下端から後述する端子２２（図１等を参照）を挿入可能となっている。各端子収納室３６内の接点部（図示省略）において、挿入された端子２２とリレー等が電気的に接続することになる。
【００２４】
更に、ハウジング３１の他の接点部において、後述するバスバー６０の上端子部６１ｂ〜６４ｂ（図３等を参照）とリレー等とが電気的に接続されることになる。そして、このような接点部を通じ、電線２１が対応するリレー等に電気的に接続されている。
【００２５】
図１及び図２に示すように、バスバープレート４０は、樹脂製のハウジング５０と、ハウジング５０にインサート成形された金属製のバスバー６０と、を有する。よって、バスバー６０はハウジング５０に支持されている。
【００２６】
図１及び図２に示すように、ハウジング５０は、底壁５１と、幅方向に対向する一対の側壁５２と、前壁５３と、を有し、上面及び後面が開口する、直方体状の箱状の形状を有する。ハウジング５０とハウジング３１とは、ハウジング５０がハウジング３１を収納するように、結合（嵌合）可能となっている。
【００２７】
各側壁５２には、前後方向における係合用突条３５に対応する２か所の位置にそれぞれ、係合用突部５４が設けられている。各係合用突部５４は、幅方向外側に突出し且つ上下方向に延びている。係合用突部５４は、ハウジング３１とハウジング５０との結合時、係合用突条３５と係合することで、ハウジング３１のハウジング５０に対する前後方向の位置決めを行うようになっている。
【００２８】
ハウジング５０には、一対の側壁５２のそれぞれの所定箇所、及び、底壁５１の後端部の所定箇所（計３か所）にそれぞれ、上方に向けて突出する係止用レバー５５が設けられている。係止用レバー５５は、ハウジング３１とハウジング５０との結合時、その先端の係止部がハウジング３１の上壁３２の角部に係止されることで、ハウジング３１のハウジング５０からの分離を防止するようになっている。
【００２９】
ハウジング５０の底壁５１には、複数の端子収納室３６の一部又は全部に対応する複数の位置（本例では、４か所）にそれぞれ、貫通孔５６が形成されている。換言すれば、貫通孔５６は、複数の接点部のうちのバスバー６０とリレー等が接続されない接点部に対応する箇所に形成されている。貫通孔５６には、後述する電線２１が挿通するようになっている。
【００３０】
図２に示すように、ハウジング５０の底壁５１の下面には、所定の複数の位置（本例では、４か所）にそれぞれ、下方に向けて突出する角筒状のコネクタハウジング５７が形成されている。後述するように、コネクタハウジング５７の内部空間には、バスバー６０の下端子部６１ｃ〜６４ｃが上下方向に延びるように露出して配置されている（図４（ｂ）も参照）。
【００３１】
図３及び図４に示すように、バスバー６０は、互いに独立した複数（本例では、４つ）のバスバー６１〜６４を含む。バスバー６１〜６４は、金属板に対して打ち抜き加工及びプレス加工等を施すことで形成され得る。
【００３２】
バスバー６１は、所定のパターンで前後方向及び幅方向に延びる連結部６１ａと、連結部６１ａの所定位置から上方に向けて突出する４本の上端子部６１ｂと、連結部６１ａの所定位置から下方に向けて突出する２本の下端子部６１ｃと、を有する。バスバー６２は、所定のパターンで前後方向及び幅方向に延びる連結部６２ａと、連結部６２ａの所定位置から上方に向けて突出する３本の上端子部６２ｂと、連結部６２ａの所定位置から下方に向けて突出する１本の下端子部６２ｃと、を有する。
【００３３】
バスバー６３は、所定のパターンで前後方向及び幅方向に延びる連結部６３ａと、連結部６３ａの所定位置から上方に向けて突出する３本の上端子部６３ｂと、連結部６３ａの所定位置から下方に向けて突出する１本の下端子部６３ｃと、を有する。バスバー６４は、所定のパターンで前後方向及び幅方向に延びる連結部６４ａと、連結部６４ａの所定位置から上方に向けて突出する２本の上端子部６４ｂと、連結部６４ａの所定位置から下方に向けて突出する１本の下端子部６４ｃと、を有する。
【００３４】
バスバー６１〜６４の連結部６１ａ〜６４ａの全体は、ハウジング５０の底壁５１にインサート成形されることで、底壁５１に埋設されている（特に、図４（ｂ）を参照）。バスバー６１〜６４の上端子部６１ｂ〜６４ｂは、底壁５１から露出し、上方に向けて突出している（特に、図３（ｂ）を参照）。バスバー６１〜６４の下端子部６１ｃ〜６４ｃは、底壁５１から露出し、コネクタハウジング５７の内部空間にて下方に向けて突出している（特に、図４（ｂ）を参照）。各コネクタハウジング５７には、後述する電線の端部に接続された端子が挿入される。この端子により、対応するバスバーと電線とが電気的に接続されるようになっている。
【００３５】
以上のように構成されたリレーブロック３０のハウジング３１とバスバープレート４０のハウジング５０とを、図１に示す状態から、互いに上下方向に近づけて結合完了させることで、電気接続箱１０が完成する。
【００３６】
ハウジング５０とハウジング３１との結合完了状態では、ハウジング３１の下端面（一対の側壁３３の下端面と前壁３４の下端面）が、ハウジング５０の底壁５１の上面に接触している。また、係合用突部５４と係合用突条３５とが係合することで、ハウジング３１のハウジング５０に対する前後方向の位置決めがなされている。加えて、係止用レバー５５の先端の係止部がハウジング３１の上壁３２の角部に係止されることで、ハウジング３１のハウジング５０からの分離が防止されている。
【００３７】
また、ハウジング５０とハウジング３１との結合完了状態では、バスバー６１〜６４の上端子部６１ｂ〜６４ｂの先端部が、各接点部において、リレー等とそれぞれ接触して電気的に接続されている。
【００３８】
図１及び図２に示すように、電線部２０は、複数（本例では４本）の電線２１を有している。各電線２１の先端部には、端子２２が設けられている。各電線２１における端子２２と反対側の端部は、対応する接続先回路（図示省略）と接続されている。
【００３９】
各電線２１の端子２２は、ハウジング５０の底壁５１に設けられた対応する貫通孔５６を介して、ハウジング３１内の対応する端子収納室３６にそれぞれ挿入される。これにより、複数の電線２１が、ハウジング３１内における端子収納室３６内の複数の接点部において、リレー等に直接的に電気的に接続される。
【００４０】
また、電線部２０は、複数の電線２１とは別に、先端部に端子（図示省略）が設けられた複数の電線（図示省略）を有している。これらの電線における端子と反対側の端部も、対応する接続先回路（図示省略）とそれぞれ接続されている。
【００４１】
これらの電線の端子は、コネクタハウジング５７に挿入される。これにより、これらの電線が、ハウジング３１内における複数の接点部において、バスバー６０を介してリレー等と間接的に電気的に接続される。
【００４２】
このように、これらの複数の電線（よって、複数の接続先回路）が、ハウジング３１内の複数の接点部において、バスバー６０を介してリレー等に電気的に接続される。バスバー６０は、複数の接点部（複数のリレー等）と一又は複数の接続先回路とを繋ぐ分岐構造、及び、一の接点部（一のリレー等）と他の接点部（他のリレー等）とを繋ぐ周回構造を有している。
【００４３】
具体的には、図３（ａ）から理解できるように、バスバー６１は、４つの接点部（４つの上端子部６１ｂ）と２つの接続先回路（２つの下端子部６１ｃ）とを繋ぐ分岐構造、及び、連結部６１ａを介して一の接点部（４つの上端子部６１ｂのうちの１つ）と他の接点部（４つの上端子部６１ｂのうちの他の１つ）とを繋ぐ周回構造、を有している。
【００４４】
バスバー６２は、３つの接点部（３つの上端子部６２ｂ）と１つの接続先回路（１つの下端子部６２ｃ）とを繋ぐ分岐構造、及び、連結部６２ａを介して一の接点部（３つの上端子部６２ｂのうちの１つ）と他の接点部（３つの上端子部６２ｂのうちの他の１つ）とを繋ぐ周回構造、を有している。
【００４５】
バスバー６３は、３つの接点部（３つの上端子部６３ｂ）と１つの接続先回路（１つの下端子部６３ｃ）とを繋ぐ分岐構造、及び、連結部６３ａを介して一の接点部（３つの上端子部６３ｂのうちの１つ）と他の接点部（３つの上端子部６３ｂのうちの他の１つ）とを繋ぐ周回構造、を有している。
【００４６】
バスバー６４は、２つの接点部（２つの上端子部６４ｂ）と１つの接続先回路（１つの下端子部６４ｃ）とを繋ぐ分岐構造、及び、連結部６４ａを介して一の接点部（２つの上端子部６４ｂのうちの１つ）と他の接点部（２つの上端子部６４ｂのうちの他の１つ）とを繋ぐ周回構造、を有している。
【００４７】
このように、バスバー６０が分岐構造を有することにより、同じ接続先回路から異なる接点部（異なるリレー等）に接続される電線（いわゆるダブリ電線）を省略することができる。また、バスバー６０が周回構造を有することにより、一の接点部（一のリレー等）と他の接点部（他のリレー等）とを繋ぐ電線（いわゆるＵターン電線）を省略することができる。
【００４８】
以上、本発明の実施形態に係る電気接続箱１０を用いたワイヤハーネス１によれば、電気接続箱１０には、複数のリレー等を搭載するためのリレーブロック３０とは別にバスバープレート４０が設けられている。バスバープレート４０が有するバスバー６０は、リレーブロック３０内の複数の接点部と一又は複数の接続先回路とを繋ぐ分岐構造、及び、一の接点部と他の接点部とを繋ぐ周回構造、の少なくとも一方を有しており、電線とリレーブロック３０（リレー等）との接続を中継するようになっている。
【００４９】
このような構造を有するバスバー６０をバスバープレート４０に設けることで、多数の電線をリレーブロック３０に直接つなぐ場合に比べ、電線の接続構造を単純化できる。したがって、本構成の電気接続箱１０を用いたワイヤハーネス１によれば、電気接続箱１０に対する電線の接続構造を簡易化できる。
【００５０】
更に、電気接続箱１０によれば、ハウジング５０に設けられた貫通孔５６を通じて、外部からリレーブロック３０に電線２１を直接つなぐことができる。よって、バスバープレート４０のバスバー６０を介する必要がない電線２１については、このようにリレーブロック３０と直接つなぐことで、バスバー６０及びバスバープレート４０の構造を単純化できる。
【００５１】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５２】
例えば、上記実施形態では、ハウジング５０に設けられた貫通孔５６を通じて、外部からリレーブロック３０に電線２１が接続されている。これに対し、ハウジング５０に貫通孔５６が設けられず、且つ、リレーブロック３０に電線２１が接続されていなくてもよい。この場合、ハウジング３１内に設けられた複数の接点部の全てがバスバー６０と電気的に接続されるように構成され得る。
【００５３】
更に、上記実施形態では、本発明の「第１ブロック」として、リレー、ヒューズ、及び、ヒュージブルリンク（リレー等）のうちの少なくとも１種類以上が複数個収納されたリレーブロック３０が採用されている。これに対し、本発明の「第１ブロック」として、リレー等以外の電装品が複数個収納されたブロックが採用されてもよい。
【００５４】
更に、上記実施形態では、ハウジング３１内の端子収納室３６に端子２２が挿入された電線２１に大きな電流が流れたとき、ジュール熱に起因して、端子２２の周辺の温度が過度に上昇する場合がある。この問題に対処するため、図５（ａ）に示すように、端子２２と電線２１との接続箇所（端子２２の付け根の導体部分）に、電線２１の径方向外側に延びる金属製の連結部２３を介して電線２１の延在方向に沿って延びる金属製の放熱板２４を一体で形成してもよい。更に、ハウジング３１内の端子収納室３６を画定する隔壁３７の開口端部における連結部２３に対応する位置に、端子２２の挿入方向に延びるスリット３８を形成してもよい。
【００５５】
そして、図５（ｂ）に示すように、端子２２を端子収納室３６に挿入する際、連結部２３をスリット３８に挿入することにより、端子２２の挿入完了状態にて、放熱板２４が端子収納室３６の外部に露出する。この結果、端子２２の周辺に発生した熱が放熱板２４を介して外部に開放され易くなり、端子２２の周辺の温度が過度に上昇し難くなる。例えば、リレーブロックでは、通常、隣接する端子収容室３６同士の間に空隙が存在するため、この空間を放熱板２４を格納するスペースとして活用できる。
【００５６】
ここで、上述した本発明の実施形態に係る電気接続箱１０を用いたワイヤハーネス１の特徴をそれぞれ以下（１）〜（５）に簡潔に纏めて列記する。
（１）
回路部品を配置可能な複数の接点部を有する第１ブロック（３０）と、
前記第１ブロックに向かい合うように配置される第２ブロック（４０）であって、前記複数の接点部の一部又は全部において前記回路部品と電気的に接続されるバスバー（６０）を有する第２ブロック（４０）と、
を備えた電気接続箱（１０）であって、
前記バスバー（６０）は、
複数の前記接点部と一又は複数の接続先回路とを繋ぐ分岐構造、及び、一の前記接点部と他の前記接点部とを繋ぐ周回構造、の少なくとも一方を有する、
電気接続箱。
（２）
上記（１）に記載の電気接続箱（１０）において、
前記第２ブロック（４０）は、
前記バスバー（６０）を支持するハウジング（５０）を有し、
前記ハウジング（５０）は、
前記複数の接点部のうちの前記バスバー（６０）と前記回路部品とが接続されない前記接点部に対応する箇所に、該ハウジング（５０）を貫通するように開口した貫通孔（５６）を有している、
電気接続箱。
（３）
上記（１）又は上記（２）に記載の電気接続箱（１０）において、
前記回路部品は、
ヒューズ、リレー及びヒュージブルリンクのうちの少なくとも一つである、
電気接続箱。
（４）
電気接続箱（１０）と、前記電気接続箱（１０）と接続先回路とを繋ぐ電線部（２０）と、を備えたワイヤハーネス（１）であって、
前記電気接続箱（１０）は、
回路部品を配置可能な複数の接点部を有する第１ブロック（３０）と、
前記第１ブロックに向かい合うように配置される第２ブロック（４０）であって、前記複数の接点部の一部又は全部において前記回路部品と対して電気的に接続されるバスバー（６０）を有する第２ブロック（４０）と、を備え、
前記バスバー（６０）は、
複数の前記接点部と一又は複数の前記接続先回路とを繋ぐ分岐構造、及び、一の前記接点部と他の前記接点部とを繋ぐ周回構造、の少なくとも一方を有し、
前記電線部（２０）は、
前記バスバー（６０）を介して前記接点部に間接的に繋がる電線を含む、
ワイヤハーネス。
（５）
上記（４）に記載のワイヤハーネス（１）において、
前記第２ブロック（４０）は、
前記バスバー（６０）を支持するハウジング（５０）を有し、
前記ハウジング（５０）は、
前記複数の接点部のうちの前記バスバー（６０）と前記回路部品とが接続されない前記接点部に対応する箇所に、該ハウジング（５０）を貫通するように開口した貫通孔（５６）を有し、
前記電線部（２０）は、
前記貫通孔（５６）を通じて前記接点部に直接的に繋がる電線（２１）を更に含む、
ワイヤハーネス。
【符号の説明】
【００５７】
１      ワイヤハーネス
１０    電気接続箱
２０    電線部
２１    電線
３０    リレーブロック（第１ブロック）
４０    バスバープレート（第２ブロック）
５０    ハウジング
５６    貫通孔
６０    バスバー
６１〜６４    バスバー
【図１】
2018207659.tif 000003
【図２】
2018207659.tif 000004
【図３】
2018207659.tif 000005
【図４】
2018207659.tif 000006
【図５】
2018207659.tif 000007